(57)【要約】      （修正有）【課題】あり得ないとされている、電力増殖装置を提供する。【解決手段】鉄心１、１'、一次コイル２、２'、二次コイル３，３'を備える盗電トランスである。プラグ４を差し込むと、一次コイル２，２'が設置されている一次回路に電気が流れ、白熱電灯５が明るくともり、５アンペアの電気が流れ、同時に二次コイル３、３'が設置されている二次回路のＬＥＤ電灯６、６'が点灯する。ＬＥＤ電灯６、６'をつけたり消したりしても、一次コイル２、２′の一次電流には増減はなく電流計を見ても５アンペアでピタリ止ったままであり、一次と二次の相互作用が完封されている。以上のような盗電機を１以上備えた電力増殖装置である。【選択図】図１
2016214052.tif 000002
【特許請求の範囲】
【請求項１】
図１に示す、１、２、３、４、５、６よりなる一連の装置を施し、結果として、３、なる二次回路に生ずる誘導電気を、只儲けしようとなす、既成トランスに起きている、相互作用を完封し、一方作用として取り出せるようになした、本文詳記の、図．１の９なる盗電機を１以上備えることを特徴とする、電力増殖装置。入力より出力の方が大きくなる永久機関。
【請求項２】
バッテリーの静電気を、交流化できる機具をとり入れ、結果として、図．１に見られる如く、盗電効果が現われるようになした、本文詳記の、盗電の方法仕組。トランス状の盗電機とバッテリーと交流化機をセットにした商品。
【発明の詳細な説明】
【技術分野】
【０００１】  これは、あり得ない、とされている、電力増殖装置に関わるもので、自動車が只で走り、家庭用の電気が只の、自家発電時代がくる、ことを意味する発明である。
保存則という学説により、１、のエネルギーを１、以上にすることは出来ないとする常識が定着しているが、本発明は、かかる定説をくつがえす、立証装置であり、その理論体系とは、トランスに生じている、一次電流と二次電流の相互作用を完封し、１次側に寄生する寄生虫の如くして、つまり、一次側に影響を及ぼさない、相互作用ならぬ、一方作用という構図で電気を盗みとろう、とするものである。
【背景技術】
【０００２】  水力発電にしても、火力、太陽光発電にしても、その発電技術というものは、或エネルギー源を、電気エネルギーに変換する、というもの。つまり、発電史約２００年とはこれの繰り返しであり、この間、これに根本革命が起きた事実はなく、今尚、旧態のまま。
であったが、ここにきて、ドギモを抜く発電技術、盗電技術が彗星の如く現われ、このままで発電史は終るかに見えたこのドタン場で、或アマの脳裏に空前絶後の永久機関の原理が偶発した。この研究のスタートは５０年前にきられた。
【発明の概要】
【発明が解決しようとする課題】
【０００３】  トランスとは、２００年程前の電機技術発祥時代の産物。構造が単純で故障しらず、初期に作られたそれが今も現役、ピンピン。
かかるそのトランスに類似した二代目トランスとも言える  トラの子が、ここにきて大あばれ、エネルギー界に君臨する時節がおとずれた。
トランスとは、四角の鉄心に別々に巻かれた、一次コイルと二次コイルよりなる、電柱の上で日々見かける、高圧電流を１００Ｖ等の低圧に下げる機器。要するに、トランスの現象とは、一次と二次の電流が相互比例関係にあり、消費量イコール入力量という式のものであるが、本発明ではかかるトランスによく似た盗電機を、電気が行き来する回路上に、直列に沢山設置して、相互作用が起こらない形で、そこに誘導された電気を、横どり只儲けしようとするものである。
【課題を解決する為の手段】
【０００４】  ここで図１を見て頂く。これは本発明盗電トランスの原理説明正面図。１、は鉄心、２、は一次コイル、３、は二次コイル。これは一見トランスにみえるがトランスではない。論より証拠、電圧を上げたり下げたりはできないし、しない。
これなるトランス状機器は、電磁力学界又は世の中に初登場のニューフェース、新種のコジラ、怪物である。
４、なるコンセントを差し込むと、２、なるコイルが設置されている、一次回路に電気気が流れ、５、なる電灯が明るくともる。図では都合上一個だけしか書いてないが、ここでは、１００Ｗの電灯が２０個ともっている、と想定して頂く。何故１００Ｗの電灯なのかというと、２キロの抵抗というよりこの方が分かり易いと思ったからである。電灯一個につき、１、アンペアの電気が流れるから、したがって５に２０アンペアの電気が流れたことになる。時を同じくして、二次回路に設置されている、左右二つの６なる１００Ｗ電灯も明るく点灯する。ちなみに、２、なるコイルは、１．０ミリの銅線が１６０回巻いてあり、３、なるコイルは、０．７の銅線が約２０００回巻いてある。これだけ巻かないと１００Ｖの電圧が出ない。
次に移る、次の説明に御注目。二次回路上の６、なる電灯をつけたり消したりしても、一次電流に増減はなく、一定不変ビクリともしない。電流計を見ても２０アンペアでピタリ止ったまま。つまり、一次と二次との相互関係、相互作用が完封されているということ。これなる事象は、６、の１００Ｗ×２の２００Ｗ、の電気が完壁に盗めているということ。正に実に完全犯罪。これには警察もお手あげ、警察も舌を巻く歴史的とりものだということ。
ここに一つの問題点が横たわる。それは図１の４は、家庭の電源だということ。自動車用、又、自家発電用では、電源はバッテリーと決まってい、バッテリーは静電気であるから、これを交流にしないと盗電機は作動しない。
しかし、世の中の太陽光発電装置等を見るに、静電気を交流に変えて使う技術は既に完成しており、これに関わる問題点は特にないものと思われる。又、銅線の抵坑損等の問題は微々たるものであるから、ここでは取上げないことにする。
図１、の９の大きさは、５×１０ｃｍ程、コイルの厚さは４．２ｃｍ。自動車用の盗電トランス、空気エンジンでは、この原形を４０個ぐらい使う。かかる盗電機はバッテリーと組合せて使うから、バッテリーの大きさ×３ぐらいが、自動車用の寸法。家庭用空気エンジンについても、これに準ずる。バッテリーの寿命は５年ぐらいであるが、将来的にはもっとずっと上向くことが予想される。
【発明の効果】
【０００５】  図１、の７は、既成トランスの使用実況図、つまり、図１、の５のように、一次回路に電灯をつけるなどということはない。電灯等の電気器具は、二次回路の電気を使うと決ってい、盗電トランスと、一般トランスの違いがよくよく納得できてこないと、本発明の何たるかは分かり出さない。二つある点線８は、盗電トランスの設置位置説明図。又、９、なる盗電トランスは回路内に一つだけ取りつけても、図２の如く、２０個とか何百個とか直列に連結しても、盗電現象は一定不変で起こり続ける。
図１に示す、５と６の関係。即ち、５、での消費電力と、６、なる出力の関係は当然式化できる。例えば、図１、の５では、１００Ｗ×２０であるから、６の出力は１００Ｗ×２、となり、又、５の消費電力が、２０個２キロＷと一定であっても、盗電トランス、９、の数を増やせば、その数に比例して、只儲の数量がふくれあがる。よって、５の量×９の量  イコール丸儲けの量、という式が成り立つ。
要するに、５、なる負荷に上限はなく、したがって、６、なる儲けにも上限はなく、かかる原理に従えば、大、中、小の電気が意のままに自由自在に得られるものと分ってくる。バッテリーの数と、盗電機の数をふやしてゆけば、自然法則的に都市で消費する電力相当も簡単、ということであるが、盗電機の出世普及により、もはや大電力の出番はなくなり、送電の必要もなくなり、電柱のない超近代社会が眼前に迫ってくる、ということ。
【図面の簡単な説明】
【０００６】
【図１】、は、本発明トランス状、盗電機の原理説明正面図。
【図２】、は、盗電トランスの実施形状図。
【発明を実施する為の形態】
【０００７】  相互作用、入力イコール消費量、という形以外で、二次側の誘導電流をかすめ取る、という発想は電磁力学史になかったこと。アンペール、ボルト、オーム等の大学者にも死角があった、ということであるが、これなる成果は、世の中の学門や文化や慣習を鵜呑みに出来ない、とする変人奇人性が深く関っていたことがだんだん分ってきた。
１０００年後に世界の誰かが、永久機関の原理を見出したとしたら、それは敗北であると常々考えていた。その方法がないのであればないで結構、それをつきとめに俺は生まれて来た、だった。結果としてこれに遭遇できたが、このことは、社会的には大きな問題であるが、個人的にはごく当たり前な、世の中にザラに見かける何かに気がついた、というだけのこと。
兎もあれ、これの及ぼす影響は多大、実施の節にはおびただしい数の困惑者が噴出する。史上異例のパニック現象が派生する。このことを思うと、実にまことにおだやかではいられない。
であるか、このことは何時かの時代に、どこかの国の誰かが必らず見出すと決っていた、人類の宿願、人世の宿命としてセットされていたテーマ。一朝一夕にしてこれまでに積み重ねてきた財産のゼロ化を思うと居ても立ってもいられず、断腸の念、ますますつのる今は眞夜中。
【符号の説明】
【０００８】１、は鉄心。
２、は一次コイル。
３、は二次コイル。
４、は電源。
５、は負荷。
６、は只儲けの電灯。
７、は既成トランスの使用状況図。
８、は盗電トランスの設置位置説明図。
９、は一つでも使える盗電トランス説明図。
【図１】
2016214052.tif 000003
【図２】
2016214052.tif 000004
【手続補正書】
【提出日】平成28年2月6日(2016.2.6)
【手続補正１】
【補正対象書類名】明細書
【補正対象項目名】全文
【補正方法】変更
【補正の内容】
【発明の詳細な説明】
【技術分野】
【０００１】  これはあり得ないとされている、電力増殖装置に関わるもので、自動車が只で走り、家庭用や工場用等の電気が只の時代がくることを意味する発明である。１の力を１以上にすることは出来ない、とする常識が定着しているが本発明はかかる定説をくつがえす立証装置であり、その理論体系とは、トランスにおきている一次と二次の相互作用を完封し、一方作用という形で電気を盗みとろうとするものである。
【背景技術】
【０００２】  水力発電にしても火力太陽光発電にしても、その発電技術というものは或エネルギー源を電気エネルギーに変換するというものである。であるがここに来て、画紀的な盗電理論がトランスという機器を介して見出された。これに類するものは史上になかったし現世にもない。
【発明が解決しようとする課題】
【０００３】  トランスの現象とは、消費量イコール入力量というものであるが、本発明ではかかるトランスによく似た盗電機を、電気が行き来する電路上に直列に多数設置して、相互作用が起こらない形でそこに誘導される電気を只儲けしよう、とするものである。
【課題を解決する為の手段】
【０００４】ここで図１を見て頂く。これは本発明盗電トランスの原理説明正面図。１−１′は鉄心、２−２′は一次コイル、３−３′は二次コイル。これは一見トランスに見えるがトランスではない。
４なるプラグを差し込むと、２−２′なるコイルが設置されている一次回路に電気が流れ、５なる１００Ｗ白熱電灯５個が明るくともり、５アンペアの電気が流れる。時を同じくして二次回路３−３′に設置されている、６−６′なるＬＥＤ、１００Ｗ相当、１３．８Ｗが明るく点灯する。
ちなみに２−２′なる一次コイルは１．０ミリの銅線が１１０回いてあり、３−３′なるコイルは０．５ミリの銅線が約１，４００回巻いてある。
次に移る！  次の説明に御注目！  二次回路上の６−６′なるＬＥＤ電灯をつけたり消したりしても、２−２′の一次電流には増減はなく電流計を見ても５アンペアでピタリ止ったまま、ビクリともしない。つまり、一次と二次の相互作用が完封されているということ。これこのことは電磁力学史上にない歴史的なビックなビックなビックリ現象！  世界的な大事件だ！  である。
ここに一つの注意点が横たわる。それは図１の４は家庭の電源だということ。自動車用にしても家庭用にしても盗電機の電源はバッテリーと決ってい、バッテリーは静電気であるからこれを交流にしないと盗電機は作動しない。が、静電気を交流にして使う技術は既に完成してい、問題は全くない。
図１−１′の盗電気の大きさはタテヨコ１０ｃｍぐらい。普通乗用車用盗電機の場合はこれを３０個ぐらい使う。盗電機はバッテリーと組合わせて使うが、今乗っている車のバッテリーの大きさ×３ぐらいが、自動車盗電機の大きさである。
【発明の効果】
【０００５】  図１の１−１′に見られる盗電機を都合上１セットと呼ぶ。したがって図２は１０セット。図２の５′は図１の５と同じ白熱電灯５個５００Ｗ。図１の６−６′ＬＥＤは丸儲けであると言ったが、図１のワンセットでは１３．８Ｗ×２＝２７．６Ｗが儲け分。図２では１０セットであるから、２７．６×１０で２７６Ｗの儲け。１００セットでは、２７．６×１００＝２，７６０Ｗの儲け、１，０００セットでは、２７．６×１，０００＝２７，６００Ｗ、以下ネズミ算的に儲けがエスカレートする。
儲け分を増大さす手段は二つある。一つは今言った盗電機の数をふやすこと、他の一つは、５−５′の抵抗体を大きくすると言うこと。つまり、両者は無限的であると言い切れるが、盗電機の出世によりもはや３０Ｋ以上の大電力の必要はないことになった。
【図面の簡単な説明】
【０００６】  図１は、本発明盗電トランスの原理説明正面図。
図２は、盗電トランス１０セット連結図。
【発明を実施する為の形態】
【０００７】  既存のトランスはすべて、鉄心とコイルを保護する為に又、放熱の目的でそのカバーに穴をあけたり、フインと呼ばれる突出部を設置したり、テレピン油等を循環させたりしている。かかる道理は盗電機についても同じ、よって同様な工夫を施す。
尚、盗電機の設置場所は家庭用  工場用等は、プロパンガスのように屋外が基本、が、多少装飾を施し廊下やキッチン、棚におく手もある。
又、５−５′なる白熱電灯５個５００Ｗというのは原理を分かり易くした工夫であって、実際の形態は当然ここでは発電機を回す。この発電機は約３００Ｗ発電する。したがって出入り計算上は５００Ｗ−３００＝２００Ｗという数字になる。６−６′についても同じ。
【符号の説明】
【０００８】  １−１′、は鉄心
２−２′、は一次コイル
３−３′、は二次コイル
４、は電源
５−５′、は白熱１００Ｗ電灯５個５００Ｗ
６−６′、はＬＥＤ１００Ｗ相当１３．８Ｗ電灯
７−７′、は左右に二分されたコード
【手続補正２】
【補正対象書類名】特許請求の範囲
【補正対象項目名】全文
【補正方法】変更
【補正の内容】
【特許請求の範囲】
【請求項１】
各図に示す、１−１′、２−２′、３−３′、４、５−５′、６−６′よりなる一連の組合わせを施し、結果として３−３′なる二次回路に生ずる誘導電気を只儲けしようとなす、既成トランスに起きている相互作用を完封し一方作用で電気をとり出せるようになした、本文詳記の盗電機を１以上備えることが特徴の電力増殖装置。入力より出力の方が大きくなる永久機関。
【請求項２】
バッテリーの静電気を交流化出来る機器をとり入れ、又、放熱装置を施したりし、結果として図１、図２にみられる盗電効果が現われるようになした、本文詳記の盗電の方法、仕組み。トランス状の盗電機とバッテリーと交流化機、放熱装置をセットになした商品。
【手続補正３】
【補正対象書類名】図面
【補正対象項目名】全図
【補正方法】変更
【補正の内容】
【図１】
2016214052.tif 000005
【図２】
2016214052.tif 000006